(57)【要約】【課題】メッセージ機能を備える端末装置のメッセージ制御に関し、複数のメール受信等の新旧イベントの表示機能を高める。【解決手段】メール受信機能を備える端末装置であって、メールの受信に応じて、未読メールが存在することを示す第１のマーク（未読メールアイコン８４）と、メールの受信があったことを示す第２のマーク（新着メールアイコン９０）と、を画面に表示する第１の手段と、利用者による受信済みメールの確認があった場合に前記第２のマークを消去し、更に未読メールが存在しなくなった場合に前記第１のマークを消去する第２の手段とを備える構成である。【選択図】図４
2010246131.tif 000002
【特許請求の範囲】
【請求項１】
メール受信機能を備える端末装置であって、
メールの受信に応じて、未読メールが存在することを示す第１のマークと、メールの受信があったことを示す第２のマークと、を画面に表示する第１の手段と、
利用者による受信済みメールの確認があった場合に前記第２のマークを消去し、更に未読メールが存在しなくなった場合に前記第１のマークを消去する第２の手段と、
を備えることを特徴とする端末装置。
【請求項２】
前記第２の手段は、前記受信済みメールが展開された場合に、確認があったと判断することを特徴とする請求項１に記載の端末装置。
【請求項３】
前記第２の手段は、前記第２のマークの表示中には前記第１のマークを消去することを特徴とする請求項１に記載の端末装置。
【請求項４】
前記画面は、第１の表示領域と、実行中の機能処理の表示に用いられる第２の表示領域とを備え、
前記第１の手段は、前記第１のマークを前記第１の表示領域に表示中にメールの受信があった際に、前記第２の表示領域が実行中の機能処理で使用中である場合には前記第２のマークを前記第１の表示領域に表示し、前記第２の表示領域が実行中の機能処理で使用中でない場合には前記第２のマークを前記第２の表示領域に表示することを特徴とする請求項１に記載の端末装置。
【請求項５】
前記画面は、第１の表示領域と、実行中の機能処理の表示に用いられる第２の表示領域とを備え、
前記第１の手段は、メール処理以外の機能処理画面から待受画面への復帰の場合に、前記第２のマークを前記第２の表示領域に表示することを特徴とする請求項１に記載の端末装置。
【請求項６】
メール受信機能を備える端末装置のメッセージ表示方法であって、
メールの受信に応じて、未読メールが存在することを示す第１のマークと、メールの受信があったことを示す第２のマークと、を画面に表示する処理と、
利用者による受信済みメールの確認があった場合に前記第２のマークを消去し、更に未読メールが存在しなくなった場合に前記第１のマークを消去する処理と、
を含むことを特徴とする端末装置のメッセージ表示方法。
【請求項７】
メール受信機能を備える端末装置のメッセージ表示プログラムであって、
メールの受信に応じて、未読メールが存在することを示す第１のマークと、メールの受信があったことを示す第２のマークと、を画面に表示するステップと、
利用者による受信済みメールの確認があった場合に前記第２のマークを消去し、更に未読メールが存在しなくなった場合に前記第１のマークを消去するステップと、
を含み、これらのステップをコンピュータに実行させることを特徴とする端末装置のメッセージ表示プログラム。
【発明の詳細な説明】
【技術分野】
【０００１】
本発明は、メッセージ機能を備える端末装置のメッセージ表示制御に関し、特に、メール着信等、新旧イベントの表示機能を備える携帯電話機、パーソナルコンピュータ等の端末装置、そのメッセージ表示方法及びメッセージ表示プログラムに関する。
【背景技術】
【０００２】
携帯電話機の表示部には、電子メール（以下単に「メール」という。）を着信した際、その着信を知らせる着信音、鳴動、画像表示等のメッセージや、着信しているメールが未読である旨のメッセージが表示される。このようなメール着信や未読メールのメッセージについて、図１を参照して説明する。図１は、写真撮影機能を備える携帯電話機の表示部の表示形態を示している。
【０００３】
この携帯電話機２では、写真撮影中の表示部４に、図１（Ａ）に示すように、中心部の表示領域６に撮影画像８が表示されるが、その際、未読メールがある場合には表示領域１０に未読メールを表すアイコン１２が表示される。このようなアイコン表示は、メール着信等の各種のイベントの生起を告知するための表示機能である。
【０００４】
ところで、写真撮影中において、メール着信があると、図１（Ｂ）に示すように、表示領域６の撮影画像８にはメール着信中を表すメッセージ１４が表示されるとともに、表示領域１０のアイコン１２が点滅表示マーク１６に変わり、その点滅によって新着メールの到来を表す。ユーザは、写真撮影中であっても、アイコン１２が点滅表示マーク１６に変わることにより、メール着信を認識することができる。
【０００５】
しかし、アイコン１２の点滅表示マーク１６は一定時間で解除され、そのアイコン１２は、図１（Ｃ）に示すように、未読メールの表示に変更されてしまう。写真撮影を続行させた場合には、未読メールに新着メールが含まれていても、アイコン１２が未読メールを表しているにすぎないから、メール確認の機会を失うことになる。
【０００６】
斯かるメール着信に関し、下記の特許文献１には、メール作成中にメール受信を受けた場合に、その受信メールを確認せずにメール作成を続行した場合には、アイコン表示を点滅させることが開示されている。しかし、この特許文献１に記載されたアイコン（ピクト）の点滅表示においても、所定時間が経過すると、その点滅は停止させている。
【先行技術文献】
【特許文献】
【０００７】
【特許文献１】特開２００３−１９８６６５号公報
【発明の概要】
【発明が解決しようとする課題】
【０００８】
このように、未読メールがある状態で新着メールを受信し、その受信時点で点滅させたアイコンの点滅を停止させた場合には、未読メール表示にすぎないものとなり、ユーザに新着メールの確認の機会を失わせるおそれがある。
【０００９】
特に、写真撮影等の他の機能を実行させている場合には、アイコン点滅や着信音による告知を受けても、一定時間が経過した後は未読メール表示に変わってしまうため、ユーザは新着メールの存在を忘れるおそれがある。このような新着メール表示が未読メール表示に変更されると、何時メールが到来したのかは、実際にメールを開いて確認しなければ知ることができなかったのである。
【００１０】
このような未読メールが存在している場合に新着メールがあり、その表示が未読メール表示に変更された場合の不都合について、特許文献１を参照しても、その課題の開示はなく、その解決についても開示ないし示唆はない。
【００１１】
そこで、本発明は、メッセージ機能を備える端末装置のメッセージ制御に関し、複数のメール受信等の新旧イベントの表示機能を高めることを目的とする。
【００１２】
また、本発明の他の目的は、未読メールが存在している場合に、新着メールの告知機能を高めることにある。
【課題を解決するための手段】
【００１３】
上記目的を達成するため、本発明の端末装置は、メール受信機能を備える端末装置であって、第１の手段と第２の手段とを備える構成である。前記第１の手段は、メールの受信に応じて、未読メールが存在することを示す第１のマークと、メールの受信があったことを示す第２のマークとを画面に表示する。前記第２の手段は、利用者による受信済みメールの確認があった場合に前記第２のマークを消去し、更に未読メールが存在しなくなった場合に前記第１のマークを消去する。
【００１４】
上記目的を達成するため、本発明の端末装置のメッセージ表示方法は、メール受信機能を備える端末装置のメッセージ表示方法であって、表示処理と消去処理とを含む構成である。前記表示処理は、メールの受信に応じて、未読メールが存在することを示す第１のマークと、メールの受信があったことを示す第２のマークとを画面に表示する。前記消去処理は、利用者による受信済みメールの確認があった場合に前記第２のマークを消去し、更に未読メールが存在しなくなった場合に前記第１のマークを消去する。
【００１５】
上記目的を達成するため、本発明の端末装置のメッセージ表示プログラムは、メール受信機能を備える端末装置のメッセージ表示プログラムであって、表示ステップと消去ステップとを含み、これらのステップをコンピュータに実行させる構成である。前記表示ステップは、メールの受信に応じて、未読メールが存在することを示す第１のマークと、メールの受信があったことを示す第２のマークとを画面に表示する。前記消去ステップは、利用者による受信済みメールの確認があった場合に前記第２のマークを消去し、更に未読メールが存在しなくなった場合に前記第１のマークを消去する。
【発明の効果】
【００１６】
本発明によれば、次のような効果が得られる。
【００１７】
(1) 新旧のイベントを異なる形態で表示するので、新イベントの認識が高められ、各イベントの確認を忘れる等の不都合を回避することができる。
【００１８】
(2) 新旧のイベントとして例えば、未読メールに対して新着メールが到来した場合、その表示が未読メールと異なるので、新着メールの認識が高められ、新着メールの開封忘れ等を避けることができるとともに、新着か未読かの確認にメールを開かなければならないという作業が不要となり、確認作業の効率化、容易化が図られる。
【図面の簡単な説明】
【００１９】
【図１】写真撮影機能を備える携帯電話機の表示部の表示形態を示す図である。
【図２】本発明の端末装置の第１の実施形態に係る携帯電話機を示す図である。
【図３】携帯電話機の構成を示すブロック図である。
【図４】機能処理中の表示形態の一例を示す図である。
【図５】機能処理中の他の表示形態を示す図である。
【図６】待機中の表示部の表示形態を示す図である。
【図７】本発明の端末装置のメッセージ表示方法及びメッセージ表示プログラムの実施形態に係る表示制御の処理手順の一例を示すフローチャートである。
【図８】他の表示制御の処理手順を示すフローチャートである。
【図９】他の表示制御の処理手順を示すフローチャートである。
【図１０】他の表示制御の処理手順を示すフローチャートである。
【図１１】他の表示制御の処理手順を示すフローチャートである。
【図１２】待機中の表示部の表示形態を示す図である。
【図１３】本発明の第２の実施形態に係る携帯型パーソナルコンピュータ及びその表示形態を示す図である。
【図１４】本発明の第３の実施形態に係るＰＤＡ及びその表示形態を示す図である。
【発明を実施するための形態】
【００２０】
第１の実施形態
本発明の端末装置の第１の実施形態について、図２及び図３を参照して説明する。図２は、第１の実施形態に係る携帯電話機、図３は、携帯電話機のハードウェア構成を示している。
【００２１】
この携帯電話機２０は、端末装置の一例であって、電話機能等の通信機能に加え、カメラ機能を備えている。この携帯電話機２０は、第１及び第２の筐体部２２、２４を備え、これら筐体部２２、２４がヒンジ部２６で連結されて開閉可能に構成されている。筐体部２２の前面部には、入力操作部２８及び送話口３０が配置され、入力操作部２８には複数のキースイッチとして例えば、メニューキー３２、電話番号検索キー３４、メール・スクロールキー３６、アプリケーション選択・スクロールキー３８、カーソルキー４０、電源・終了キー４２、クリアキー４４、開始キー４６、ダイヤル・文字キー４８等が設置されている。送話口３０の内側にはマイクロフォン５０が設置されている。また、筐体部２２の側面部にはシャッターキー５２が配置されている。また、筐体部２４の前面部には、表示部５４、カメラ機能部５６及び受話口５８が配置され、受話口５８の内側にはスピーカ６０が配置されている。また、筐体部２４の背面部にはアンテナ６２が設置されている。
【００２２】
そして、この携帯電話機２０には、図３に示すように、メッセージ表示制御、メール送受制御、通話制御等の各種の情報処理を実行する制御部としてのプロセッサ６４が設置され、このプロセッサ６４にはＲＯＭ（Read-Only Memory）６６、ＲＡＭ（Random-Access Memory）６８、無線送受信部７０、表示部５４、カメラ機能部５６及び入力操作部２８が接続されている。プロセッサ６４にはタイマー７１が内蔵され、このタイマー７１は例えば、メール着信を契機に所定時間後にメール表示の表示形態の変更等の時間制御に用いられる。このタイマー７１はハード構成に限定されるものではなく、ソフトウェアでタイマー機能として構成してもよい。また、ＲＯＭ６６には、プロセッサ６４で実行させるメッセージ表示制御プログラム、メール送受制御プログラム、撮影制御プログラム、通話制御プログラム等、各種の情報処理プログラムが格納されている。ＲＡＭ６８には、情報処理途上のデータが格納されている。無線送受信部７０は、アンテナ６２により電話局からの信号電波を受信して音声や映像、メール等を再生するとともに、受信した音声や映像、メール等の信号電波をアンテナ６２を通じて電話局に送信する。また、表示部５４は例えば、ＬＣＤ（Liquid Crystal Display）表示器で構成され、待機表示画面や機能表示画面等を構成し、通話時の電話番号表示、メール文の表示、メール着信を表すアイコン表示、画像表示等の各種の表示に用いられ、また、カメラ機能処理ではファインダーとして用いられる。カメラ機能部５６は、カメラモードで画像撮影を行い、撮影画像が表示部５４に表示される。入力操作部２８は、既述した筐体部２２に配置されたカーソルキー４０等の複数のキースイッチで構成される。
【００２３】
次に、この携帯電話機２０の表示部５４の機能処理中の画面表示について、図４を参照して説明する。図４は、写真撮影中の表示部５４の画面表示例を示し、（Ａ）は未読メールがある写真撮影中の表示を示す図、（Ｂ）は写真撮影中に新着メールを着信した場合の表示を示す図、（Ｃ）は写真撮影中に新着メールがあった場合の表示を示す図である。
【００２４】
写真撮影モードのファインダーとして表示部５４が使用される場合には、図４（Ａ）に示すように、表示部５４には画面中央部に最も広い表示領域７２が設定され、この表示領域７２の上部側及び下部側に表示領域７４、７５、７６、７７が設定され、表示領域７２には現在の機能動作の内容を表す画像が表示され、写真撮影中の場合には、撮影画像７８が表示される。表示領域７５はタスクバーに用いられ、現在処理中のタスク内容を表す表示として「写真撮影」と表示される。表示領域７６には写真撮影におけるメニューを表す表示として例えば、「Ｍｅｎｕ」「撮影」「見る」が表示され、また、表示領域７７には、機能処理のガイド情報を表す表示として例えば、「上下キーでズーム」と表示されている。
【００２５】
そして、表示領域７４は、現在動作中の機能表示とは別の表示に用いられ、待機中の画面として例えば、待受画面（図６）と同様に電池残量アイコン８０、電波受信レベルアイコン８２等が表示され、また、未読メールがあれば、第１の表示マークとして未読メールの存在を表す未読メールアイコン８４が表示される。この場合、未読メールアイコン８４は、エンベロープを表す形態表示である。従って、表示領域７２が写真撮影中の処理画面として支配されていても、表示領域７４には現在実行中の機能処理に無関係に未読メールアイコン８４が現れるので、ユーザは写真撮影中であっても、未読メールの存在を認識することができる。
【００２６】
また、写真撮影中に新イベントとして例えば、メール着信があると、図４（Ｂ）に示すように、そのメール着信中、表示領域７２にはそれを表すメッセージ８６が表示されるとともに、新着メールを表す表示として例えば、未読メールアイコン８４を点滅メール表示マーク８８に変更して表示される。この場合、メッセージ８６は現在処理中の撮影画像７８の上に「メール着信中」と上書きされて表示される。また、点滅メール表示マーク８８は、未読メールアイコン８４を元画像とし、その輝度を所定のタイミングで変化させることにより、点滅表示としている。この表示態様を得るには、例えば、新着メールの到来を契機に旧表示である未読メールアイコン８４の上に点滅メール表示マーク８８を上書きすればよい。
【００２７】
そして、メール着信から所定時間が経過すると、図４（Ｃ）に示すように、メッセージ８６の解除、点滅メール表示マーク８８は元表示である未読メールアイコン８４に変更した後、新着メールを確認しない場合に新着メールを表す第２の表示マークとして新着メールアイコン９０が未読メールアイコン８４とともに表示される。
【００２８】
従って、写真撮影中であっても、新旧のイベントである未読メールと新着メールとの存在を未読メールアイコン８４及び新着メールアイコン９０で表示し、これらを隣接して表示領域７４に表示するので、ユーザは未読メール及び新着メールの存在を認識でき、新着メールの確認の機会を失する等の不都合が回避される。
【００２９】
また、この携帯電話機２０の表示部５４の機能処理中の画面表示について、例えば、図５（Ａ）に示すように、写真撮影中の表示部５４の画面表示に未読メールアイコン８４を表示し、写真撮影中に新イベントとして例えば、メール着信があると、図５（Ｂ）に示すように、そのメール着信中、表示領域７２にはそれを表すメッセージ８６が表示されるとともに、新着メールを表す表示として例えば、未読メールアイコン８４を点滅メール表示マーク８８に変更して表示し、所定時間経過後、図５（Ｃ）に示すように、新着メールを確認しない場合に点滅メール表示マーク８８に代え、新着メールアイコン９０を表示してもよい。
【００３０】
次に、この携帯電話機２０の表示部５４の待受画面表示について、図６を参照して説明する。図６は、表示部５４の画面表示例を示し、（Ａ）は未読メールがある場合の表示を示す図、（Ｂ）は新着メールを着信した場合の表示を示す図、（Ｃ）は新着メールの表示を示す図である。
【００３１】
図６（Ａ）に示すように、表示部５４にはメイン画面として画面中央部に最も広い表示領域７２が設定され、この表示領域７２の上部側及び下部側に表示領域７４、７６が設定され、表示領域７２は、ユーザが機能を動作させていない待受画面ではプレインストールされた画像等が表示され、待機状態を表す待受画像９２が表示される。この例では、待受画面が空白画面で表示されている。表示領域７６には、この場合、メニューを表す表示として例えば、「Ｍｅｎｕ」と表示され、待機中であるため、空欄を形成している。
【００３２】
そして、表示領域７４は、電池残量アイコン８０、電波受信レベルアイコン８２等とともに、既に生起している未読メールの存在を表す未読メールアイコン８４が表示されている。この例では、待受画像９２で表示領域７２が支配されているが、初期画面等の待受画面においても、表示領域７４が確保され、電池残量アイコン８０、電波受信レベルアイコン８２等とともに、未読メールが存在している場合にはそれを表す未読メールアイコン８４が表示される。従って、メール受信があっても、ユーザがそのメールを未読状態で放置した場合には、表示領域７４に未読メールアイコン８４が現れるので、未読メールアイコン８４で未読メールの存在を知ることができる。
【００３３】
また、携帯電話機２０が待機中に新イベントとして例えば、メール着信があると、図６（Ｂ）に示すように、そのメール着信中、表示領域７２にはそれを表すメッセージ８６が表示されるとともに、新着メールを表す表示として例えば、未読メールアイコン８４を点滅メール表示マーク８８に変更させて表示する。この場合、メッセージ８６は待受画像９２の上に「メール着信中」と上書きされて表示される。また、点滅メール表示マーク８８は、未読メールアイコン８４を元画像とし、その輝度を所定のタイミングで変化させることにより、点滅表示としている点は、既述の通りである。
【００３４】
そして、待受画面では、図６（Ｃ）に示すように、メッセージ８６の解除、点滅メール表示マーク８８は元表示である未読メールアイコン８４に変更した後、表示領域７２の待受画像９２に新着メールを表す第３の表示マークとしてメール表示マーク９４が合成されて表示される。これらの表示により、ユーザは新着メールの存在を認識でき、メール確認の機会を失する等の不都合を回避することができる。
【００３５】
次に、この携帯電話機２０のメッセージ表示制御について、図７を参照して説明する。図７は、本発明の実施形態に係る携帯電話機のメッセージ表示方法及びメッセージ表示プログラムの一例であるメール受信処理の処理手順を示している。
【００３６】
このメール受信処理では、メール受信があると、メール受信中を表示する（ステップＳ１）。このメール受信中の表示は既述したように、図４（Ｂ）又は図５（Ｂ）の表示処理であり、点滅メール表示マーク８８とメール受信中を表すメッセージ８６が表示される。そこで、表示部５４の画面（メイン画面）が使用中であるか否かを判定し（ステップＳ２）、使用中の場合には、新着メールアイコン９０｛図４（Ｃ）｝を表示し、未読メールアイコン８４が表示されていれば、未読メールアイコン８４に新着メールアイコン９０を併置して表示し（ステップＳ３）、メール受信処理を完了する。また、ステップＳ２の処理において、メイン画面が使用中でない場合には、メイン画面を構成する待受画像９２上にメール表示マーク９４を表示し（ステップＳ４）、メール受信処理を完了する。
【００３７】
また、メッセージ表示制御について、例えば、図８に示すように、メール受信中の表示（ステップＳ１１）、画面が使用中か否かの判断（ステップＳ１２）を経て、新着メール表示（ステップＳ１３）を行う場合、ステップＳ１３の処理において、新着メールアイコン９０は、図５（Ｃ）に示すように、未読メールアイコン８４に上書き表示し、未読メールアイコン８４を消去してもよい。そして、画面が使用中でない場合には、新着メールの表示（ステップＳ１４）を行い、メール受信処理を完了する。
【００３８】
次に、この携帯電話機２のメッセージ表示制御について、図９を参照して説明する。図９は、本発明の実施形態に係る携帯電話機のメッセージ表示方法及びメッセージ表示プログラムの他の表示制御として待受画面復帰処理の処理手順を示している。
【００３９】
待受画面に復帰すると、図４（Ｃ）又は図５（Ｃ）に示す新着メールアイコン９０の消去（ステップＳ２１）の後、待受画面への復帰が受信メール処理からの復帰か否かを判断し（ステップＳ２２）、受信メール処理以外からの復帰の場合には、図６（Ｃ）に示すように、待受画面にメール表示マーク９４を待受画像９２に合成してその表示を行い、待受画面復帰処理を完了する。受信メール処理からの待機状態への復帰の場合には、待受画面復帰処理を完了する。
【００４０】
次に、この携帯電話機２０の他のメッセージ表示制御について、図１０を参照して説明する。図１０は、本発明の実施形態に係る携帯電話機のメッセージ表示方法及びメッセージ表示プログラムの他の表示制御としてメール受信処理の処理手順を示している。
【００４１】
メール受信中の表示をし（ステップＳ３１）、画面が使用中か否かを判定し（ステップＳ３２）、使用中の場合には、図４（Ｃ）に示す新着メールアイコン９０の表示を行う。この場合、図４（Ａ）又は図５（Ａ）に示すように、未読メールアイコン８４が表示されていれば、図４（Ｃ）に示すように、未読メールアイコン８４とともに新着メールアイコン９０の表示を行い、又は、図５（Ｃ）に示すように、未読メールアイコン８４に上書きして新着メールアイコン９０のみを表示し、メール受信処理を完了する。また、ステップＳ３２で画面が使用中でない場合には、待受画面に新着メールの表示を行えるか否かを判定し（ステップＳ３４）、その表示を行える場合には図６（Ｃ）に示すように、待受画面にメール表示マーク９４を待受画像９２に合成してその表示を行い、メール受信処理を完了する。ステップＳ３４で待受画面に新着メールの表示を行えない場合には、メール受信処理を完了する。
【００４２】
このように、待受画面に新着メールの表示を行えるか否かの判断に基づき、表示をするか否かを決定すれば、例えば、携帯電話機２にプレインストールされた初期画面の画像が他の画面に変更されている場合等、新着メール表示の判読性の低下を防止でき、表示の信頼性を高めることができる。
【００４３】
次に、この携帯電話機２のメッセージ表示制御について、図１１を参照して説明する。図１１は、本発明の実施形態に係る携帯電話機のメッセージ表示方法及びメッセージ表示プログラムの他の表示制御として待受画面復帰処理の処理手順を示している。
【００４４】
待受画面に復帰すると、新着メールアイコン９０の消去を行い（ステップＳ４１）、待受画面への復帰が受信メール処理からの復帰か否かを判定し（ステップＳ４２）、受信メール処理からの復帰であれば、待受画面復帰処理を完了する。また、待受画面復帰が受信メール処理からでない場合には、待受画面に新着メールの表示を行えるか否かを判定し（ステップＳ４３）、その表示を行えない場合には、待受画面復帰処理を完了する。また、その表示が行える場合には、図６（Ｃ）に示すように、待受画面にメール表示マーク９４を待受画像９２に合成してその表示を行い、待受画面復帰処理を完了する。ステップＳ４３の判断は、表示の信頼性、判読性を確保するためである。
【００４５】
なお、待受画面に新着メールの表示が行えない場合等、図６（Ｃ）に示すメール表示マーク９４に代え、例えば、図１２に示すように、表示領域７４に新着メールアイコン９０の表示を行うように構成してもよい。
【００４６】
第２の実施形態
本発明の端末装置の第２の実施形態について、図１３を参照して説明する。図１３は、第２の実施形態に係る携帯型パーソナルコンピュータを示し、（Ａ）はその外観形状、（Ｂ）は表示画面を示している。
【００４７】
この携帯型パーソナルコンピュータ１００は、図１３（Ａ）に示すように、本発明の端末装置の一例であって、既述の携帯電話機２０と同様に、第１及び第２の筐体部１０２、１０４を備え、これら筐体部１０２、１０４はヒンジ部１０６で連結されて開閉可能に構成されている。筐体部１０２の上面には入力操作部１０８が設置され、この入力操作部１０８は複数のキーから成るキーボードで構成されている。また、筐体部１０４の前面部には、表示部１１０やカメラ機能部５６が設置されていてる。そして、この携帯型パーソナルコンピュータ１００では、図３に示すように、既述の携帯電話機２０と同様の情報処理が可能な構成を備え、第１の実施形態として例示した各種処理（図４〜図１２）を実行することができる。
【００４８】
そして、表示部１１０の画面には表示領域１１２、１１４が設定され、表示領域１１２は情報処理上の画像等、各種の情報の表示に用いられ、表示領域１１４はタスク表示に用いられ、既述の未読メールアイコン８４、新着メールアイコン９０が表示される。
【００４９】
また、表示部１１０の新着メールアイコン９０の表示において、図１３（Ｂ）に示すように、未読メールアイコン８４に上書きして新着メールアイコン９０のみを表示するようにしてもよい。
【００５０】
第３の実施形態
本発明の端末装置の第３の実施形態について、図１４を参照して説明する。図１４は、第３の実施形態に係るＰＤＡ（Personal Digital Assistant）を示し、（Ａ）はその外観形状、（Ｂ）は表示画面を示している。
【００５１】
このＰＤＡ２００は、図１４（Ａ）に示すように、本発明の端末装置の一例であって、筐体部２０２を備え、この筐体部２０２には入力操作部２０４が設置され、この入力操作部２０４は複数のキーで構成されている。また、筐体部２０２の前面部には、表示部２０６やカメラ機能部５６が設置されている。そして、このＰＤＡ２００では、図３に示すように、既述の携帯電話機２０と同様の情報処理が可能な構成を備え、第１の実施形態として例示した各種処理（図４〜図１２）を実行することができる。
【００５２】
そして、表示部２０６の画面には表示領域２０８、２１０が設定され、表示領域２０８は情報処理上の画像等、各種の情報の表示に用いられ、表示領域２１０はタスク表示に用いられ、既述の未読メールアイコン８４、新着メールアイコン９０が表示される。
【００５３】
また、表示部２０６について、図１４（Ｂ）に示すように、新着メールアイコン９０のみを表示するようにしてもよい。
【００５４】
以上説明した実施形態について、その特徴事項や変形例等を以下に列挙する。
【００５５】
(1) 上記実施形態では、待機画面として待受画面を例示したが、ここで、待機画面とは待受画面等の初期画面だけでなく、機能処理の間で表示される待機中を表す画面も含まれる。
【００５６】
(2) 上記実施形態では、携帯電話機等に生起するイベントとしてメール受信を例示したが、本発明が表示対象とするイベントは、このようなメール受信に限られるものではなく、繰り返し生起する事象は本発明が対象とするイベントに含まれるものであり、メール受信に限定されるものではない。
【００５７】
(3) 上記実施形態において、未読メールアイコン８４、新着メールアイコン９０やメール表示マーク９４は、これらの表示対象であるイベントとしてのメールを画面に展開し、その確認をすれば、その画面展開等を契機としてこれらの表示を消去又は他の表示に変更する構成とすればよい。
【００５８】
(4) 上記新着メールアイコン９０について、認識精度を高めるために、未読メールアイコン８４と異なる着色、ブライト表示、点滅表示等の各種の表示形態を設定してもよい。
【００５９】
(5) 上記実施形態では、イベントを表す表示内容として未読メールアイコン８４、新着メールアイコン９０やメール表示マーク９４等を表記したが、これらにはピクト等の各種の表示形態を包含するものである。
【００６０】
次に、以上述べた本発明の端末装置、メッセージ表示方法及びメッセージ表示プログラムの各実施形態から抽出される技術的思想を請求項の記載形式に準じて付記として列挙する。本発明に係る技術的思想は上位概念から下位概念まで、様々なレベルやバリエーションにより把握できるものであり、以下の付記に本発明が限定されるものではない。
【００６１】
（付記１）  イベントを表すメッセージ機能を備える端末装置であって、
イベントを表す第１の表示マークと、
この第１の表示マークの表示中に生起する新イベントを表し、前記第１の表示マークとは別の形態で前記新イベントを表す第２の表示マークと、
を備え、新旧のイベントを第１及び第２の表示マークで表すことを特徴とする端末装置。
【００６２】
斯かる構成とすれば、端末装置に生起する複数の連続的なイベントについて、その新旧イベントを異なる表示を以て告知するので、その確認を促すことができる
【００６３】
（付記２）  前記新イベントの生起により前記第１の表示マークを変更し、所定時間経過後に前記第１の表示マークを前記新イベントの生起前の形態に戻すとともに、前記第２の表示マークを表示することを特徴とする付記１記載の端末装置。
【００６４】
斯かる構成とすれば、表示のメリハリが高められ、認識精度を向上させることができる。
【００６５】
（付記３）  前記第２の表示マークは、前記第１の表示マークと併置して表し、又は前記第１の表示マークに代えて表すことを特徴とする付記１記載の端末装置。
【００６６】
斯かる構成とすれば、第１及び第２の表示マークの併置により、新旧イベントを確認でき、第２の表示マークのみとすれば、新イベントの到来が認識される。
【００６７】
（付記４）  前記新イベントの画面展開により、前記第２の表示マークを消去することを特徴とする付記１記載の端末装置。
【００６８】
斯かる構成とすれば、新イベントの画面展開でユーザはその内容を確認でき、その後の表示は無用である。
【００６９】
（付記５）  前記イベントはメール受信であり、前記新イベントは新着メールであることを特徴とする付記１記載の端末装置。
【００７０】
斯かる構成とすれば、未読メールと新着メールの到来を峻別することができ、新着メールの告知機能が高められる。
【００７１】
（付記６）  イベントを表すメッセージ機能を備える端末装置のメッセージ表示方法であって、
画面にイベントを表す第１の表示マークを形成する処理と、
前記第１の表示マークの表示中に生起する新イベントを表し、前記第１の表示マークとは別の形態で前記新イベントを表す第２の表示マークを形成する処理と、
を含むことを特徴とする端末装置のメッセージ表示方法。
【００７２】
斯かる処理により、新旧イベントの識別性が高められ、重要なイベント確認のし忘れ等を防止できる。
【００７３】
（付記７）  前記新イベントの生起により前記第１の表示マークを変更し、所定時間経過後に前記第１の表示マークを前記新イベントの生起前の形態に戻すとともに、前記第２の表示マークを表示させる処理を含むことを特徴とする付記６記載の端末装置のメッセージ表示方法。
【００７４】
（付記８）  メール着信を表すメッセージ機能を備える端末装置のメッセージ表示方法であって、
画面にメール着信を表す第１の表示マークを生じさせる処理と、
前記画面が実行中の機能処理で使用中である場合には、前記第１の表示マークに代えて新着メールの到来を表す第２の表示マークを生じさせる処理と、
前記画面が実行中の機能処理で使用中でない場合には、前記第１の表示マークとは別に新着メールの到来を表す第３の表示マークを生じさせる処理と、
を含むことを特徴とする端末装置のメッセージ表示方法。
【００７５】
（付記９）  メール着信を表すメッセージ機能を備える端末装置のメッセージ表示方法であって、
機能処理の完了により待機画面に復帰させる処理と、
前記機能処理が受信メール処理以外の処理であって、新着メールを表す表示マークを表示できるか否かの判断をする処理と、
前記判断の結果により、前記待機画面上に新着メールを表す表示マークを表示させる処理と、
を含むことを特徴とする端末装置のメッセージ表示方法。
【００７６】
（付記１０）  イベントを表すメッセージ機能を備える端末装置のメッセージ表示プログラムであって、
画面にイベントを表す第１の表示マークを形成するステップと、
前記第１の表示マークの表示中に生起する新イベントを表し、前記第１の表示マークと併置して前記第１の表示マークとは別の形態で前記新イベントを表す第２の表示マークを形成するステップと、
を含み、これらのステップを情報処理装置に実行させることを特徴とする端末装置のメッセージ表示プログラム。
【００７７】
（付記１１）  メール着信を表すメッセージ機能を備える端末装置であって、
メール着信を表す第１の表示マークと、
この第１の表示マークの表示中に到来する新着メールを表し、前記第１の表示マークと併置して前記第１の表示マークとは別の形態で前記新着メールを表す第２の表示マークと、
を備え、新旧のメール着信を第１及び第２の表示マークで表すことを特徴とする端末装置。
【００７８】
（付記１２）  前記新着メールの到来により前記第１の表示マークを変更し、所定時間経過後に前記第１の表示マークを前記新着メールの到来前の形態に戻すとともに、前記第２の表示マークを表示することを特徴とする付記１１記載の端末装置。
【００７９】
（付記１３）  前記第２の表示マークは、前記第１の表示マークと併置して表し、又は前記第１の表示マークに代えて表す処理を含むことを特徴とする付記６記載の端末装置のメッセージ表示方法。
【００８０】
（付記１４）  前記新イベントの画面展開により、前記第２の表示マークを消去する処理を含むことを特徴とする付記６記載の端末装置のメッセージ表示方法。
【００８１】
（付記１５）  前記新イベントの生起により前記第１の表示マークを変更し、所定時間経過後に前記第１の表示マークを前記新イベントの生起前の形態に戻すとともに、前記第２の表示マークを表示させるステップを含むことを特徴とする付記１０記載の端末装置のメッセージ表示プログラム。
【００８２】
（付記１６）  前記第２の表示マークは、前記第１の表示マークに代えて表すステップを含むことを特徴とする付記１０記載の端末装置のメッセージ表示プログラム。
【００８３】
（付記１７）  前記新イベントの画面展開により、前記第２の表示マークを消去するステップを含むことを特徴とする付記１０記載の端末装置のメッセージ表示プログラム。
【００８４】
（付記１８）  イベントを表すメッセージ機能を備える端末装置のメッセージ表示プログラムであって、
画面にメール着信を表す第１の表示マークを生じさせるステップと、
前記画面が実行中の機能処理で使用中である場合には、前記第１の表示マークに代えて新着メールの到来を表す第２の表示マークを生じさせるステップと、
前記画面が実行中の機能処理で使用中でない場合には、前記第１の表示マークとは別に新着メールの到来を表す第３の表示マークを生じさせるステップと、
を含み、これらのステップを情報処理装置に実行させることを特徴とする端末装置のメッセージ表示プログラム。
【００８５】
（付記１９）  イベントを表すメッセージ機能を備える端末装置のメッセージ表示プログラムであって、
機能処理の完了により待機画面に復帰させるステップと、
前記機能処理が受信メール処理以外の処理であって、新着メールを表す表示マークを表示できるか否かの判断をするステップと、
前記判断の結果により、前記待機画面上に新着メールを表す表示マークを表示させるステップと、
を含み、これらのステップを情報処理装置に実行させることを特徴とする端末装置のメッセージ表示プログラム。
【００８６】
以上説明したように、本発明の最も好ましい実施形態等について説明したが、本発明は、上記記載に限定されるものではなく、特許請求の範囲に記載され、又は明細書に開示された発明の要旨に基づき、当業者において様々な変形や変更が可能であることは勿論であり、斯かる変形や変更が、本発明の範囲に含まれることは言うまでもない。
【産業上の利用可能性】
【００８７】
本発明の端末装置、メッセージ表示方法及びメッセージ表示プログラムによれば、端末装置に生起するメール着信等の複数のイベントに関し、その新旧イベントの到来を異なる形態からなる表示により告知するので、その認識精度が高められ、端末装置の利便性を高めることができる。
【符号の説明】
【００８８】
２０  携帯電話機
５４  表示部
６０  プロセッサ
７２  表示領域
７４  表示領域
８４  未読メールアイコン
９０  新着メールアイコン
９４  メール表示マーク
【図１】
2010246131.tif 000003
【図２】
2010246131.tif 000004
【図３】
2010246131.tif 000005
【図４】
2010246131.tif 000006
【図５】
2010246131.tif 000007
【図６】
2010246131.tif 000008
【図７】
2010246131.tif 000009
【図８】
2010246131.tif 000010
【図９】
2010246131.tif 000011
【図１０】
2010246131.tif 000012
【図１１】
2010246131.tif 000013
【図１２】
2010246131.tif 000014
【図１３】
2010246131.tif 000015
【図１４】
2010246131.tif 000016